(57)【要約】【課題】  精密で複雑なピアノアクションの構造を単純化し制作を容易にするとともに、打弦が着実で早い連打を可能にし、より大きな打絃力を得ることを課題とする。【解決手段】  ウイッペン５を１／４円形とし、これにハンマーを付けたハンマーパット７と爪を付けたジャック６とハンマースプリング８とバックストップ３を取り付け、構造を単純化し安価に製造することを可能にした。ハンマーパット７が打弦後、ジャック６の爪まで戻った時、指が鍵盤からわずかに上げた時点で次の打弦が可能となるため、早い連打が可能となる。また、鍵盤１・キャプスタン４・ウイッペン５・ハンマーパット７が直接連結しており、打弦が確実で大きな打弦力を得ることが出来るピアノ・ロータリーアクションである。【選択図】  図1
2009175743.tif 000002
【特許請求の範囲】
【請求項１】
ウイッペンの形状を１／４円形とし、これにジャックとジャックスプリングを組み込み、ハンマーパットとダンパースプーンを取り付けてアクションの構造の簡素化を図ることを特徴とするピアノ・ロータリーアクション。
【請求項２】
指による打鍵力がキャプスタンを介してウイッペンに伝達され、ウイッペンに埋め込まれたスプリングを付けたジャックの爪によって、ハンマーパットに回転力を伝達することを特徴とするピアノ・ロータリーアクション。
【発明の詳細な説明】
【技術分野】
【０００１】
本発明はピアノの打弦において、指による打鍵力がキャプスタン４を介して１／４円形のウイッペン５に回転力を伝え、ジャック６の爪によってハンマーパット７を回転させハンマーヘッド10で打弦するまでのピアノ・ロータリーアクションの技術に関するものである。
【背景技術】
【０００２】
従来のピアノアクションを図10に示す。動作原理は、鍵盤１を打鍵するとキャプスタン４上がり、メインレールＣにビス止めされているピン軸を介してウイッペン５が上昇する。これに取り付けられているジャック６がハンマーパット７を突き上げる。メインレールＣにビス止めされているピン軸を介してハンマーパット７が回転し、この先端のハンマーヘッド10が打弦する構造である。
【０００３】
このピアノアクションには、ジャック６がいつまでもハンマーパット７を突き上げないようにジャック６の下方に突起を付け、これがレグラティング・ボタンＡまで上昇するとこれに押さえられ、これ以上上昇不能となりジャック６がハンマーパット７からずれて外れる。また打弦後のハンマーを引き戻すブライドル・テープＢも取り付けられている。アクション全体が煩雑な構造である。（非特許文献１参照）
【０００４】
【非特許文献１】「ピアノの構造・調律・修理」福島琢郎著  昭和５５年4月30日  音楽之友社発行
【発明の開示】
【発明が解決しようとする課題】
【０００５】
しかしながら上記のようなピアノアクションでは次のような問題点がある。  
（ア）ジャック６がハンマーパット７を突き上げるための調整は微妙で、その調整に熟練した技術を要する。
（イ）ハンマーヘッド10が早い速度で弦12を連打しようとすると、指の打鍵の深さを約10ｍｍ上げなければ次の音が出難い構造であり、早い連打が難しい。
（ウ）レグラティング・ボタンＡ、ブライドル・テープＢなど部品が多く、その製作に多くの労力とコストを要する。
（エ）ピアノ演奏においてより大きいダイナミックスレンジが求められるが、この構造ではジャック６がハンマーパット７を突き上げ、一定の位置まで突き上げるとレグラティング・ボタンＡに押さえられハンマーパット７から外れるため、一定以上の大きな打弦力が得にくい。
本発明は、これらの問題点を解決するためになされたものである。
【課題を解決するための手段】
【０００６】
本発明は上記課題を解決するため、ウイッペン５の形状を１／４円形とし、これにジャック７とジャックスプリング15を組み込み、ハンマーパット７とダンパースプーン14を取り付けてアクションの簡素化を図ることを特徴とするピアノ・ロータリーアクションである。
【０００７】
本発明は、指による打鍵力がキャプスタン４を介してウイッペン５に伝達され、ウイッペン５に埋め込まれたスプリング15を付けたジャック６の爪によって、ハンマーパット７に回転力を伝達することを特徴とするピアノ・ロータリーアクションである。
【発明の効果】
【０００８】
鍵盤１を打鍵した力がキャプスタン４を介して直接円形のウイッペン５に伝えられ、同時にこれに埋め込まれたジャック６の爪によってハンマーパット７に回転力を伝えるため、効率がよく確実性があり、大きな打弦力を得ることができる。また課題であった速い速度での音の連打が、打鍵した指を約10ｍｍ上げなくとも、ハンマーヘッド10が打弦した後ハンマーパット７がジャック６の爪が挿入される位置まで戻れば次の音の打弦が可能となるため、指を打鍵後数ミリ上げた位置で次の音が出せる特徴を持っているピアノ・ロータリーアクションである。
【０００９】
さらに、構造が単純化されており修理や調整が容易になるばかりでなく、製造コストを低減することができる利点のあるピアノ・ロータリーアクションである。
【発明を実施するための最良の形態】
【００１０】
形状は、ウイッペン５とハンマーパット７を１／４円形とする同心円に組み込み込んだロータリーとし、力の伝達方法はジャック６のラチエット（爪車）で行うものである。ハンマーヘッド10の打弦後、元の位置に戻すためのハンマースプリング８もウイッペン５に組み込み、形を単純化している。
【００１１】
弦とハンマーヘッドとの間の幅の調整は、キャプスタン４が鍵盤１にネジ止されており、これを回すことによって調整することができる。キャプスタン４とウイッペン５との連結は、図６，図７にあるようにウイッペン５にピン留めしている箱形の連結具によっておこなっておりキャプスタン４との着脱を容易にし、ウイッペン５全体の取り外しも容易に行えるようにしている。
【実施例１】
【００１２】
本発明の各機器の動きは、鍵盤１を押すとキャプスタン４が上がり、メインレールＣにビス止めされているウイッペン５がピン軸を支点として回転を始める。ウイッペン５に組み込まれているジャック６の爪によりハンマーパット７も一緒に回転する。鍵盤が一番下まで押されるとウイッペン５はそこで止まる。一方、ウイッペン５に装着されているダンパースプーン14はダンパーレバー13を押し、ダンパーヘッド11が弦から離れ消音が解除される。
ウイッペン５の回転力の惰性によりハンマーパット７はさらに回転し、ハンマーヘッド10が弦12を叩く。ハンマースプリング８の押す力と弦を打った反動でハンマーヘッド10はジャック６の位置まで戻る。ジャックスプリング15の押し上げる力によってジャック６の爪がハンマーパット７に挿入されハンマーヘッド11はこの位置で止まる。ウイッペン５に装着されているバックストップ３もバックチエック２に挟まれ、ハンマーヘッド10が弦を二度打つことを防いでいる。
【００１３】
鍵盤１から指を離すと、鍵盤及びアクションの自重によって、キャプスタン４を介してウイッペン５が回転し元の位置まで戻る。ハンマースプリング８の力によって、ハンマーパット７もハンマーレール９まで戻る。ダンパースプーン14もダンパーレバー13から離れ弦12を押さえ消音する。
【実施例２】
【００１４】
図８はウイッペン５を円形にし、これにジャックスプリング15を付けたジャック６の他、ハンマースプリング８も埋め込んだものである。キャプスタン４は鍵盤１に直接ビス止めで装着しており、打鍵力をそのままハンマーに伝える構造になっている。そのため効率が良く大きな打弦力を得ることができる。このピアノ・ロータリーアクションはメインレールＣと鍵盤１との2カ所止めになっており、故障時の修理や取り替え作業が容易に行える利点がある。
【実施例３】
【００１５】
図9はグランドピアノにおける使用を示す。円形ウイッペン５にジャック６、ジャックスプリング15、ハンマースプリング８を埋め込んだもので、製作が容易でしかも打鍵力を直接打弦力に伝達できるため、効率が良く大きな打弦力が得られるグランドピアノ・ロータリーアクションである。
【図面の簡単な説明】
【００１６】
【図１】本発明の側面図である。
【図２】本発明の斜視図である。
【図３】本発明の部分拡大の正面図である。
【図４】本発明のウイッペンの断面を拡大した側面図である。
【図５】本発明のウイッペンの断面を拡大した正面図である。
【図６】本発明のキャプスタンの拡大側面図である。
【図７】本発明のキャプスタンの拡大正面図である。
【図８】本発明を円形ウイッペンに取り付けた側面図である。
【図９】本発明をグランドピアノに使用した側面図である。
【図１０】従来技術を示す側面図である。
【符号の説明】
【００１７】
１    鍵盤      
２    バックチエック      
３    バックストップ      
４    キャプスタン    
５    ウイッペン      
６    ジャック      
７    ハンマーパット      
８    ハンマースプリング
９    ハンマーレール    
１０  ハンマーヘッド      
１１  ダンパーヘッド    
１２  弦
１３  ダンパーレバー      
１４  ダンパースプーン    
１５  ジャックスプリング
Ａ    レグラティング・ボタン
Ｂ    ブライドル・テープ
Ｃ    メインレール
【図１】
2009175743.tif 000003
【図２】
2009175743.tif 000004
【図３】
2009175743.tif 000005
【図４】
2009175743.tif 000006
【図５】
2009175743.tif 000007
【図６】
2009175743.tif 000008
【図７】
2009175743.tif 000009
【図８】
2009175743.tif 000010
【図９】
2009175743.tif 000011
【図１０】
2009175743.tif 000012